(57)【特許請求の範囲】
【請求項１】
真空発生機の吸込側へ接続される吸気管と被回収物の供給源へ向けて開口される吸込管を回収タンク内から導出させ、上記回収タンクは上端開口状のタンク本体と上蓋との組み合わせからなり、タンク本体の下底部には回収タンク内が負圧となったときに大気圧との差圧により閉合状態とされ且つ回収タンク内が正圧となったときには自らの弾力により開放状態に復元される常開型のシート弁を装着し、該シート弁の外側には接地用の脚体を付設し、上蓋の中央に通気孔を設けてその上方に吊下げ用心杆の支承用ブラケットを設け、該ブラケットの外周から前記通気孔へ通じる吸気口を開設し、吊下げ用心杆の下端部には通気孔の孔縁上へバネ圧で密着する弁座を定着させると共にブラケット上面から操作し得るバネ圧調節機構を付設し、弁座の上方に気密性の伸縮筒体を嵌装させて該筒体内を連通管により回収タンク内と連通させ、回収タンク内の回収物が増量して吊下げ荷重が予め設定された一定値に達するとバネ圧に抗して弁座が通気孔の孔縁上から離隔し、また、タンク本体の上端開口周辺部と上蓋の下面周辺部との接合面が、回収タンク内の負圧時には密閉せられ正圧時には離隔するよう可動状に連繋したことを特徴とする、吸引式回収装置。
【発明の詳細な説明】
【０００１】
【産業上の利用分野】
本発明は、真空発生機を用いた吸引式回収装置に関し、例えば、土砂、ペレット等の固形粉粒体、或いは汚水、汚泥等の固液混合体を回収タンク内へ回収して運搬車上へ自動的に排出させるものである。
【０００２】
【従来技術とその問題点】
吸引方式で回収した回収物を運搬車により所定の廃棄場所まで搬送して排出するものとして代表されるのはバキューム車であるが、回収タンクが満杯となったのち回収タンクごと廃棄場所まで移動させて排出しなければならず、その間吸引作業は中断状態となるので極めて作業効率が悪い。また、回収タンク内の回収物の収容レベルや重量をセンサーで検出し、電動式のバルブを開作動させて排出を行わせるという方式のものも存在するが、構造的に複雑となり誤動作のトラブルも多い。
【０００３】
【発明の目的】
本発明の目的は、回収物を排出させるについてレベルセンサーやセンサー、電動式のバルブ等を必要とせず、また、その排出された回収物を廃棄させるについて運搬車のみを交替で運転させ、その間吸引作業を中断することなく効率的で、しかも構造的に簡潔で誤動作のない吸引式回収装置を提供することにある。
【０００４】
【発明の構成】
本発明に係る吸引式回収装置においては、真空発生機の吸込側へ接続される吸気管と被回収物の供給源へ向けて開口される吸込管を回収タンク内から導出させ、上記回収タンクは上端開口状のタンク本体と上蓋との組み合わせからなり、タンク本体の下底部には回収タンク内が負圧となったときに大気圧との差圧により閉合状態とされ且つ回収タンク内が正圧となったときには自らの弾力により開放状態に復元される常開型のシート弁を装着し、該シート弁の外側には接地用の脚体を付設し、上蓋の中央に通気孔を設けてその上方に吊下げ用心杆の支承用ブラケットを設け、該ブラケットの外周から前記通気孔へ通じる吸気口を開設し、吊下げ用心杆の下端部には通気孔の孔縁上へバネ圧で密着する弁座を定着させると共にブラケット上面から操作し得るバネ圧調節機構を付設し、弁座の上方に気密性の伸縮筒体を嵌装させて該筒体内を連通管により回収タンク内と連通させ、回収タンク内の回収物が増量して吊下げ荷重が予め設定された一定値に達するとバネ圧に抗して弁座が通気孔の孔縁上から離隔し、また、タンク本体の上端開口周辺部と上蓋の下面周辺部との接合面が、回収タンク内の負圧時には密閉せられ正圧時には離隔するよう可動状に連繋させた。
【０００５】
【操作と作用】
吸込管の先端開口部を被回収物の供給源へ導入して真空発生機を駆動させた状態で、クレーン等により吊下げ用心杆の頭部を掛止して運搬車の荷台上へ回収タンクを降ろせば、弁座はバネ圧によって通気孔を閉塞し、タンク本体と上蓋との接合面は密閉されると共に回収タンク内の減圧によりその密閉力を増して密着状態となり、吊下げ用心杆が上方へ牽引されてもこの密着状態を維持することになる。また、回収タンク内の減圧に伴いシート弁も閉合状態となって被回収物の吸引可能な体制が整えられるので、再び荷台上から回収タンクを吊上げた状態となし、真空発生機の駆動を続行させると、被回収物は吸込管を通って回収タンク内へ吸引せられる。吸引が継続して行われることで回収タンク内の回収物は次第に増量し、弁座に懸かる荷重が予めバネ圧調節機構の操作により設定された所定値に達すると、バネ圧に抗して弁座が通気孔の孔縁上から離隔し通気孔が開放状態となって大気を吸引することで回収タンクの内圧が上昇する。続いて密着していたタンク本体と上蓋との接合面が離隔し大気が流入して回収タンク内は大気圧と同圧となり、同時に閉合していたリップ弁が開放状態に復元するので回収タンク内の回収物は一気に運搬車の荷台上へ排出されることになる。そして回収物の排出が終了すると荷台上へ回収タンクを降下させ、弁座により通気孔の閉塞、タンク本体と上蓋との接合面の密着、シート弁の閉合を自動的に行わせ、以下前述の手順によって回収と排出を反復し、荷台が満杯になれば運搬車を取り替え、満杯の運搬車は所定の廃棄場所へ向かうが、その間も別の運搬車の荷台上では回収と排出が続けられるのである。
【０００６】
【実施例】
以下本発明吸引式回収装置を掘削土砂の回収に供した場合の事例について説明をする。
【０００７】
１は真空発生機の吸込側へ接続される吸気管２と被回収物の供給源へ向けて開口される吸込管３を導出させた回収タンクであって、上端開口状のタンク本体１ａと上蓋１ｂとの組み合わせからなり、両者１ａ，１ｂの接合面１ｃは離接自在なよう軸方向へ可動状に連繋されている。そしてタンク本体１ａの下底部にはシート弁４が装着されているが、このシート弁４は回収タンク１内が負圧となったときに大気圧との差圧に閉合状態とされ、回収タンク内が正圧となったときには自らの弾力により開放状態に復元される常開型のものである。５はシート弁４の外側に設けられた接地用の脚体である。上蓋１ｂの中央には通気孔６が設けられ、その上方には吊下げ用心杆７の支承用ブラケット８が設けられている。ブラケット８の外周下方部には上記通気孔６へ通じる吸気口９が開設され、吊下げ用心杆７の下端部には吸気口６と対向する弁座１０が定着されており、ブラケット８の上板直下において吊下げ用心杆７に嵌合させたバネ受具１１と上記弁座１０の上面との間にコイルスプリング１２が張設される。１３‥‥１３はブラケット８の上面から螺装された調節用ボルトであって、先端部が上記バネ受具１１の上面に当接する該ボルト１３‥‥１３の操作によってコイルスプリング１２のバネ圧調節機構が構成される。１４は弁座１０の上方に嵌装された気密性の伸縮筒体であって、該筒体１４内は連通管１５によって回収タンク１内と連通させられている。なお、吊下げ用心杆７の頭部はクレーン等への掛止孔１７に形成されている。
【０００８】
吸込管３の先端開口部を掘削土砂内へ導入し、吸気管２に接続された真空発生機を駆動させた状態で、吊下げ用心杆７の掛止孔１７をクレーン等に掛止して図１に示すよう運搬車の荷台１８上へ回収タンク１を降ろせば、弁座１０はコイルスプリング１２のバネ圧によって通気孔６を閉塞し、タンク本体１ａと上蓋１ｂとの接合面１ｃは密閉されると共に回収タンク１内の減圧によりその密閉力を増して密着状態となり、吊下げ用心杆７が上方へ牽引されてもこの密着状態を維持することになる。また、回収タンク１内の減圧に伴いシート弁４も閉合状態となって掘削土砂の吸引可能な体制が整えられるので、再び荷台１８上から回収タンク１を吊り上げた図２の状態となし、真空発生機の駆動を続行させると、土砂は吸込管３を通って回収タンク１内へ吸引せられる。そして吸引が継続して行われることで回収タンク１内の回収土砂は次第に増量し、弁座１０に懸かる荷重が予めバネ圧調節機構の操作により設定された所定値に達したとき、つまり回収タンク１内への回収土砂が所定量に達すれば、コイルスプリング１２のバネ圧に抗して弁座１０が通気孔６の孔縁上から離隔し通気孔６が開放状態となって大気を吸引することで回収タンク１の内圧が上昇する。続いて密着していたタンク本体１ｂと上蓋１ｂとの接合面１ｃが離隔し大気が流入して回収タンク１内は大気圧と同圧となり、同時に閉合していたリップ弁４が開放状態に復元するので、図３に見られるよう回収タンク１内の土砂は一気に運搬車の荷台１８上へ排出されることになる。そして土砂の排出が終了すると図１に示すよう荷台１８上へ回収タンク１を下降させ、弁座１０による通気孔６の閉塞、タンク本体１ａと上蓋１ｂとの接合面１ｃの密着、シート弁４の閉合が自動的に行われるので、以下既述の手順によって土砂の回収と排出を反復し、荷台１８上が満杯になれば運搬車を別のものに取り替え、満杯の運搬車は所定の廃棄場所へ向かうが、その間も別の運搬車の荷台１８上では掘削土砂の回収と排出が続けられるのである。
【０００９】
【発明の効果】
上述によって明らかなように、本発明によれば、回収物を排出させるについてレベルセンサーや重量センサー、電動式のバルブ等を必要とせず、また、その排出された回収物を廃棄させるについては運搬車のみを交替で運転させ、その間吸引作業を中断することなく効率的で、しかも構造的に簡潔で誤動作のない吸引式回収装置を提供し得られるのである。
【図面の簡単な説明】
【図１】本発明に係る吸引式回収装置の要部縦断側面図であって、真空発生機を駆動させた状態により運搬車の荷台上へ回収タンクを下降させ、被回収物の吸引可能な体制が示されている。
【図２】本発明に係る吸引式回収装置の要部縦断側面図であって、クレーン等により回収タンクを運搬車の荷台上から上昇させ、被回収物の吸引を行っている状態を示す。
【図３】本発明に係る吸引式回収装置の要部縦断側面図であって、回収タンク内の真空破壊によりシート弁が開放せられ、回収物が運搬車の荷台上へ排出されている状態を示す。
【図４】図１および図２の状態時における真空破壊機構部分の拡大図である。
【図５】図３の状態時における真空破壊機構部分の拡大図である。
【符号の説明】
１    回収タンク
１ａ  タンク本体
１ｂ  上蓋
１ｃ  接合面
２    吸気管
３    吸込管
４    シート弁
５    脚体
６    通気孔
７    吊下げ用心杆
８    ブラケット
９    吸気口
１０  弁座
１４  伸縮性筒体
１５  連通管
【図１】
0003883669.tif 000002
【図２】
0003883669.tif 000003
【図３】
0003883669.tif 000004
【図４】
0003883669.tif 000005
【図５】
0003883669.tif 000006